(57)【要約】【課題】待ち行列に並ぶ顧客と店舗を有機的に接続し、行列に並んでいる顧客の情報から各顧客に適した待ち時間の利用方法を顧客に提供する手段を提供することにより、従来顧客側にとっても店舗側にとっても無価値であった行列の待ち時間に価値を持たせることを可能にする。【解決手段】行列情報データベースを備えたホストシステムと、複数の情報端末装置と、外部システムから構成し、飲食店等の店舗で行列への並び始めや並び終わりをホストシステムに接続された入力装置から検知し、ホストシステムはその情報を行列情報データベースに行列情報として格納することにより行列に並んでいる顧客を管理し、またその行列情報をネットワークを介して外部システムに提供し、外部システムはその行列情報をもとに行列に並んでいる顧客が保有する情報端末装置に様々なサービスを提供する。【選択図】図１
2015187800.tif 000002
【特許請求の範囲】
【請求項１】
店舗に並んだ顧客の行列情報を管理するホストシステムと、前記ホストシステムへの顧客情報の登録時に割り当てられた顧客IDを保存した情報端末装置と、前記情報端末装置に所定のサービスを提供する外部システムと、を備え、前記ホストシステム、前記情報端末装置及び前記外部システムは互いにネットワーク経由で接続されている行列情報管理システムであって、
前記ホストシステムは、
行列に並び始めた顧客の情報端末装置から第１の入力装置に入力された顧客IDを該第１の入力装置から受信したとき、受信した顧客IDと顧客が行列に並び始めた開始日時とを対応付けて行列情報データベースに登録する手段と、
行列を並び終えた顧客の前記情報端末装置から第２の入力装置に入力された顧客IDを該第２の入力装置から受信したとき、受信した顧客IDと顧客が行列を並び終えた終了日時とを対応付けて前記行列情報データベースに登録する手段と、
前記第１の入力装置に顧客IDを入力した前記情報端末装置からネットワーク経由にてメニュー画面の要求を受信したとき、前記行列情報データベースに登録されている顧客の開始日時と終了日時を基に取得した現在の待ち状況を示す行列情報とともに前記外部システムが提供するサービスを示すサービス項目情報を表示するメニュー画面を前記情報端末装置に送信する手段と、を備え、
前記外部システムは、
前記情報端末装置からネットワーク経由にて前記メニュー画面から選択した所定のサービスの要求を受信したとき、要求されたサービスを前記情報端末装置に提供するための手段を備えることを特徴とする
行列情報管理システム。
【請求項２】
前記外部システムが、前記店舗情報を配信するサービスを提供する店舗情報配信システムである場合、前記店舗情報配信システムは、
前記情報端末装置から店舗情報配信サービスの要求を受信したことに応じて、前記情報端末装置に店舗情報を配信する手段を備えることを特徴とする
請求項１に記載の行列情報管理システム。
【請求項３】
前記ホストシステムは、
店舗にて支払いを終えた顧客の前記情報端末装置から第３の入力装置に入力された顧客IDを該第３の入力装置から受信したとき、受信した顧客IDと顧客が支払いを終えた精算日時とを対応付けて前記行列情報データベースに登録する手段と、
前記精算日時を登録したときは、完了通知を前記外部システムに通知する手段と、をさらに備え、
前記外部システムが、顧客にポイントを付与するために抽選を行うポイント抽選システムである場合、前記ポイント抽選システムは、
前記情報端末装置からポイント抽選サービスの要求を受信したことに応じて、予め設定された時間毎にネットワーク経由にて前記ホストシステムの前記行列情報データベースを参照することにより行列に並んでいる顧客IDを取得する手段と、
取得した顧客IDにより抽選を行い、前記情報端末装置に抽選結果を送信する手段と、
前記ホストシステムから前記完了通知を受信したことに応じて、顧客のポイントを追加させるべく前記抽選結果を別のポイント管理システムに送信する手段と、を備えたことを特徴とする
請求項１に記載の行列情報管理システム。
【請求項４】
前記外部システムが、複数の前記ホストシステムと接続されかつ顧客に割引券を配布する割引券配布システムの場合、前記割引券配布システムは、
前記情報端末装置から割引券配布サービスの要求を受信したことに応じて、当該要求に係る顧客IDを基に複数の前記ホストシステムの各々の行列情報データベースを参照することにより当該顧客が行列に並んだ各々の実績を合算し、所定の条件を満たしているか否かを判断する手段と、
所定の条件を満たしている場合には、前記情報端末装置に割引券を配布する手段と、を備えたことを特徴とする
請求項１に記載の行列情報管理システム。
【請求項５】
前記情報端末装置から前記第１、第２又は第３の入力装置への顧客IDの入力が近距離無線送受信手段により行われることを特徴とする
請求項１〜４のいずれかに記載の行列情報管理システム。
【発明の詳細な説明】
【技術分野】
【０００１】
本発明は、各種施設、店舗の待ち行列における待ち時間、順番、人数などの待ち行列に関する情報を、当該行列に並んでいる顧客や他システムに対してネットワークを介して提供する行列情報管理システムに関するものである。
【背景技術】
【０００２】
飲食店等の店舗では店舗内が満員の場合、顧客に顧客情報をリストに記帳してもらい店内に空きができたらリストの順番に店員が呼び出して店内に入店してもらう方法か、店舗の外の行列に並んでもらい店舗内に空きができたら行列の先頭から順に入店してもらう方法がとられる。
【０００３】
どちらの場合も顧客は、順番が来るまで待っている間、行動を制限されることとなり、苦痛や不快感を与えられ、店舗に対する不満が蓄積されることとなる。
【０００４】
これに対して、待ち行列に並んでいた時間を計測し、それを単位時間あたり１ポイントとしてポイントに換算し顧客に提供する待ち時間管理システムが存在する（特許文献１等）。
【０００５】
図１４は、この待ち時間管理システムの概要を示すブロック構成図であり、顧客の行列への並び開始を入力する入力部１４０１、顧客の行列への並び終わりを入力する入力部１４０２、顧客の待ち時間の情報を格納する顧客情報格納部１４０４、待ち時間を測定する待ち時間測定部１４０５、待ち時間をポイントに変換するポイント変換部１４０６、全体を制御するデータ処理部１４０３、処理結果を出力する出力部１４０７から構成されている。
【０００６】
このような待ち時間管理システムでは、入力部１４０１は行列に並び始める顧客の情報を取得し、データ処理部１４０３に入力する。データ処理部１４０３は、顧客情報を受信すると、現在時刻を開始時刻として取得し、それを顧客情報と共に顧客情報格納部１４０４に格納する。
【０００７】
一方、入力部１４０２は並び終わる顧客の情報を取得し、データ処理部１４０３に入力する。データ処理部１４０３は現在時刻を終了時刻として取得し、また顧客情報格納部１４０４から開始時刻と顧客情報を取得し、これらを待ち時間測定部１４０５に入力する。待ち時間測定部１４０５は当該顧客が行列に並んでいた時間を計算し、その結果をポイント変換部１４０６に入力する。ポイント変換部１４０６は予め設定された１ポイントあたりの単位時間を用いてポイント数に変換する。出力部１４０７はポイント数を顧客に出力する。
【先行技術文献】
【特許文献】
【０００８】
【特許文献１】特開平８−１６６５８
【発明の概要】
【発明が解決しようとする課題】
【０００９】
近年は、携帯電話、スマートフォンなどの情報端末やインターネットの普及に伴い、顧客が待ち行列に並びながら手軽に暇つぶしをする手段を保持しており、待ち行列から与えられる苦痛や不快感が軽減される傾向が見られる。
【００１０】
しかし、これらの顧客の行動は顧客自身による自衛策であり、顧客にとって待ち行列に並んでいる時間が無駄な時間であることには変わりなく、店舗にとっては顧客が自店舗のために費やしている時間を有効に活用できているとは言い難い。
【００１１】
また上述した待ち時間管理システムの場合は、並んでいる時間がポイントとして還元されるため、顧客にとって時間の無駄さは軽減される可能性がある。
【００１２】
しかし、このシステムも顧客にとって待ち行列自体が我慢の対象であることには変わりがなく、行列を敬遠する人や、遠方からの来店で再訪の可能性が低くポイント制度に魅力を感じない人をに対して効果を発揮することは難しい。
【００１３】
本発明の目的は、待ち行列に並ぶ顧客と店舗を有機的に接続し、行列に並んでいる顧客の情報から各顧客に適した待ち時間の利用方法を顧客に提供する手段を提供することにより、従来顧客側にとっても店舗側にとっても無価値であった行列の待ち時間に価値を持たせることを可能にする行列情報管理システムを提供することにある。
【課題を解決するための手段】
【００１４】
上記目的を達成するために、本発明は、以下の構成を提供する。
本発明の態様は、店舗に並んだ顧客の行列情報を管理するホストシステムと、前記ホストシステムへの顧客情報の登録時に割り当てられた顧客IDを保存した情報端末装置と、前記情報端末装置に所定のサービスを提供する外部システムと、を備え、
前記ホストシステムは、
前記情報端末装置及び前記外部システムは互いにネットワーク経由で接続されている行列情報管理システムであって、前記ホストシステムは、行列に並び始めた顧客の情報端末装置から第１の入力装置に入力された顧客IDを該第１の入力装置から受信したとき、受信した顧客IDと顧客が行列に並び始めた開始日時とを対応付けて行列情報データベースに登録する手段と、
行列を並び終えた顧客の前記情報端末装置から第２の入力装置に入力された顧客IDを該第２の入力装置から受信したとき、受信した顧客IDと顧客が行列を並び終えた終了日時とを対応付けて前記行列情報データベースに登録する手段と、
前記第１の入力装置に顧客IDを入力した前記情報端末装置からネットワーク経由にてメニュー画面の要求を受信したとき、前記行列情報データベースに登録されている顧客の開始日時と終了日時を基に取得した現在の待ち状況を示す行列情報とともに前記外部システムが提供するサービスを示すサービス項目情報を表示するメニュー画面を前記情報端末装置に送信する手段と、を備え、
前記外部システムは、
前記情報端末装置からネットワーク経由にて前記メニュー画面から選択した所定のサービスの要求を受信したとき、要求されたサービスを前記情報端末装置に提供するための手段を備えることを特徴とする。
【００１５】
上記態様において、前記外部システムが、前記店舗情報を配信するサービスを提供する店舗情報配信システムである場合、前記店舗情報配信システムは、
前記情報端末装置から店舗情報配信サービスの要求を受信したことに応じて、前記情報端末装置に店舗情報を配信する手段を備えることを特徴とする。
【００１６】
上記態様において、前記ホストシステムは、
店舗にて支払いを終えた顧客の前記情報端末装置から第３の入力装置に入力された顧客IDを該第３の入力装置から受信したとき、受信した顧客IDと顧客が支払いを終えた精算日時とを対応付けて前記行列情報データベースに登録する手段と、
前記精算日時を登録したときは、完了通知を前記外部システムに通知する手段と、をさらに備え、
前記外部システムが、顧客にポイントを付与するために抽選を行うポイント抽選システムである場合、前記ポイント抽選システムは、
前記情報端末装置からポイント抽選サービスの要求を受信したことに応じて、予め設定された時間毎にネットワーク経由にて前記ホストシステムの前記行列情報データベースを参照することにより行列に並んでいる顧客IDを取得する手段と、
取得した顧客IDにより抽選を行い、前記情報端末装置に抽選結果を送信する手段と、
前記ホストシステムから前記完了通知を受信したことに応じて、顧客のポイントを追加させるべく前記抽選結果を別のポイント管理システムに送信する手段と、を備えたことを特徴とする。
【００１７】
上記態様において、前記外部システムが、複数の前記ホストシステムと接続されかつ顧客に割引券を配布する割引券配布システムの場合、前記割引券配布システムは、
前記情報端末装置から割引券配布サービスの要求を受信したことに応じて、当該要求に係る顧客IDを基に複数の前記ホストシステムの各々の行列情報データベースを参照することにより当該顧客が行列に並んだ各々の実績を合算し、所定の条件を満たしているか否かを判断する手段と、
所定の条件を満たしている場合には、前記情報端末装置に割引券を配布する手段と、を備えたことを特徴とする。
【００１８】
上記態様において、前記情報端末装置から前記第１、第２又は第３の入力装置への顧客IDの入力が近距離無線送受信手段により行われることを特徴とする。
【発明の効果】
【００１９】
本発明の行列情報管理システムの主な効果は次の通りである。
（１）ホストシステムが行列情報を外部システムに提供するため、行列に並んでいる顧客に限定して、店舗や店舗が提携する外部サービスが顧客に対して様々なサービスを提供することができる。
（２）入力装置への情報端末装置のタッチという簡易な操作のみで、顧客が行列に並んでいる時間や回数等の情報を取得でき、店舗は特定顧客の店舗利用状況の分析や、混雑状況の分析し、顧客へのサービス向上に役立てることができる。
【図面の簡単な説明】
【００２０】
【図１】図１は、本発明の実施の形態の一例を示すシステム構成図である。
【図２】図２は、顧客情報データベースに格納されているデータの構成図である。
【図３】図３は、行列情報データベースに格納されているデータの構成図である。
【図４】図４は、本発明の実施の形態の一例の概要を示すフローチャートである。
【図５】図５は、第１の入力装置からの入力処理の概要を示すフローチャートである。
【図６】図６は、第２の入力装置からの入力処理の概要を示すフローチャートである。
【図７】図７は、第３の入力装置からの入力処理の概要を示すフローチャートである。
【図８】図８は、情報端末装置のシステム構成図である。
【図９】図９は、情報端末装置が入力装置との接続時の処理のを示すフローチャートである。
【図１０】図１０は、情報端末装置のメニュー画面の一例である。
【図１１】図１１は、ポイント抽選システム連携時の形態例を示すシステム構成図である。
【図１２】図１２は、店舗情報配信システム連携時の形態例を示すシステム構成図である。
【図１３】図１３は、割引券配布システム連携時の形態例を示すシステム構成図である。
【図１４】図１４は、従来の待ち時間管理システムの概略を示すシステム構成図である。
【発明を実施するための形態】
【００２１】
図１は、本発明の実施の形態の一例を示すシステム構成図である。本行列情報管理システムは、行列情報データベース１０７を備えたホストシステム１０１と、このホストシステム１０１に接続されている入力装置１０３、１０４、１０５と、このホストシステム１０１に接続されている入力端末１１１と、入力装置１０３、１０４、１０５と近距離無線通信で接続される情報端末装置１０２ａ、１０２ｂ、１０２ｃと、ホストシステム１０１とネットワーク１０９を介して接続される外部システム１０８から構成され、情報端末装置１０２ａ、１０２ｂ、１０２ｃは無線回線によって基地局１１０と接続されている。基地局１１０はネットワーク１０９と接続されており、すなわち情報端末装置１０２ａ、１０２ｂ、１０２ｃはネットワーク１０９を介して、ホストシステム１０１と外部システム１０８と接続されている。
【００２２】
ホストシステム１０１は、サーバ機能を備えたコンピュータであり、本発明に関連する機能を実現する所定のプログラムを導入されている。コンピュータのＣＰＵが所定のプログラムを内部メモリに読み込み実行することにより、本発明のホストシステム（ホスト装置）及び外部システム（外部装置）として機能する。外部システム１０８も、本発明に関連する機能に関して同様のものである。
【００２３】
情報端末装置１０２ａ、１０２ｂ、１０２ｃは、無線回線によって基地局１１０と接続されている。基地局１１０はネットワーク１０９と接続されている。すなわち情報端末装置１０２ａ、１０２ｂ、１０２ｃは、ネットワーク１０９を介して、ホストシステム１０１及び外部システム１０８と接続されている。情報端末装置１０２ａ、１０２ｂ、１０２ｃは、行列に並ぶ顧客が保持していることを想定し、例えばNFC（Near field communication）の機能を保有したスマートフォンに相当する。（なお、図１では情報端末装置１０２ａ、１０２ｂ、１０２ｃがそれぞれ入力装置１０３、１０４、１０５に接続した状態を示しているが、各情報端末装置は、いずれの入力装置に対しても接続可能であり、通常は、順次、各入力装置と接続される。）
【００２４】
入力装置１０３、１０４、１０５は、情報端末装置１０２ａ、１０２ｂ、１０２ｃとの近距離無線送受信手段を有している。例えばこの近距離無線送受信手段をFeliCa（登録商標）とした場合、入力装置１０３、１０４、１０５は、FeliCa（登録商標）対応の読み取り機に相当する。顧客は情報端末装置１０２ａ、１０２ｂ、１０２ｃを入力装置１０３、１０４、１０５にタッチして使用する。
【００２５】
入力装置（「第１の入力装置」と称する場合がある）１０３は、行列に並び始めようとしている顧客が保有する情報端末装置１０２ａによってタッチされ、これによってホストシステム１０１は入力装置１０３から顧客が行列に並び始めたという状況を検知する。
【００２６】
入力装置（「第２の入力装置」と称する場合がある）１０４は、行列の先頭に到達し行列を並び終えた顧客が保有する情報端末装置によってタッチされ、これによってホストシステム１０１は入力装置１０４から顧客が行列を並び終えたという状況を検知する。
【００２７】
入力装置（「第３の入力装置」と称する場合がある）１０５は、行列に並んでいた顧客が店舗内での要件を済ませ、レジで支払いを行った際にタッチされ、これによってホストシステム１０１は入力装置１０５から、顧客が支払いを済ませたことを検知する。
【００２８】
基地局１１０は、情報端末装置１０２ａ、１０２ｂ、１０２ｃの無線通信手段として、例えばスマートフォンを利用した場合は、移動電話事業者の基地局や、無線LAN（Local Area Network）通信のアクセスポイントに相当する。
【００２９】
ホストシステム１０１は、顧客情報データベース１０６及び行列情報データベース１０７を保持している。
顧客情報データベース１０６には、顧客を識別するID、顧客の名前、メールアドレス等の顧客の情報が登録されている。
行列情報データベース１０７には、顧客を識別するID、顧客が行列に並び始めた時刻、顧客が行列を並び終えた時刻、顧客が店舗で支払いを行った時刻、ホストシステム１０１がその顧客に関する処理を完了した時刻が登録される。
【００３０】
外部システム１０８は、行列に並んでいる顧客に対して、例えばゲーム、オンラインショッピング、店舗情報の提示等、顧客が行列に並んでいる時間を活用して利用できる情報を配信するサービスを提供する機能や、例えば行列に並んだ時間に応じたポイントや割引券の付与等、行列に並んだことによって得られる特典を顧客に付与するサービスを提供する機能を備える。それぞれ独自のサービス提供機能を備えた外部システム１０８が、複数存在する場合もある。外部システム１０８は、ネットワーク１０９を介してホストシステム１０１の行列情報データベース１０７を参照して登録されている情報を取得できる。また、外部システム１０８は、ネットワーク１０９を介して、行列に並んでいる顧客の情報端末装置１０２ａに所定のサービスを提供することができる。
【００３１】
入力端末１１１は、有線または無線のネットワークによってホストシステム１０１と接続しており、行列情報データベース１０７の内容を照会したり、情報を手動で更新することを可能とし、例えば店員が行列の先頭の顧客を呼び出すために利用したり、行列に並んでいた顧客が行列に並ぶのをやめた場合、店員が店舗の前の状況を目視で確認しそれを入力端末１１１で行列情報データベース１０７に登録する目的で利用する。
【００３２】
ホストシステム１０１は、顧客情報データベース１０６及び行列情報データベース１０７の情報の検索処理を行うＤＢ検索部１０１ａ、行列情報データベース１０７の更新処理を行うＤＢ更新部１０１ｂ、外部システム１０８との送受信処理を行う外部システム送受信部１０１ｃ、情報端末装置１０２ａ、１０２ｂ、１０２ｃとの送受信を行う情報端末送受信部１０１ｄを備えている。
【００３３】
図２は、顧客情報データベース１０６に格納されているデータ構成図の例であり、顧客を識別するための顧客ID２０１と名前２０２やメールアドレス２０３といった顧客情報が登録される。顧客は、事前に情報端末装置１０２ａ、１０２ｂ、１０２ｃを利用して会員登録を行い、その際に指定した名前やメールアドレス等の顧客情報が顧客情報データベース１０６に登録される。また顧客ID２０１は、顧客を識別するための重複しない文字列であり、顧客が会員登録を行った際に割り当てられる。顧客ID２０１は情報端末装置１０２ａ、１０２ｂ、１０２ｃにも保存される。
【００３４】
図３は、行列情報データベース１０７に格納されているデータの構成図であり、顧客ID３０１、行列に並び始めた日時を示す開始日時３０２、行列を並び終えた日時を示す終了日時３０３、顧客が支払いを終えた日時を示す清算日時３０４、ホストシステム１０１が行列に並んだ顧客に関する処理を終えた日時を示す完了日時３０５を登録する。
【００３５】
顧客ID３０１には、顧客が行列に並び始めるタイミングで第１の入力装置１０３にタッチした際に、情報端末装置１０２ａから送信される顧客IDを登録する。開始日時３０２には顧客が行列に並び始めるタイミングで第１の入力装置１０３にタッチした時の日時が登録される。
【００３６】
終了日時３０３には、顧客が行列を並び終えるタイミングで第２の入力装置１０４にタッチした時の日時が登録される。清算日時３０４には顧客が支払いを終えたタイミングで第３の入力装置１０５にタッチした時の日時が登録される。
【００３７】
完了日時３０５には、顧客が行列に並んだことによる特典を受ける権利を有するか否かが確定した日時が登録される。例えば外部システム１０８が支払いまで済ませた顧客を対象として行列に並んでいた時間に応じたポイントを付与するようなシステムであった場合に、ホストシステム１０１が外部システム１０８に対して顧客が支払いを済ませたことの通知を行い、その日時を完了日時３０５に登録することにより、この顧客に対する特典の付与が確定する。
【００３８】
また、途中で行列から抜けた顧客や店舗に入店後何も購入しないで店舗を出た顧客に対しては、店員が入力端末１１１からその顧客の行列情報の完了日時３０５を登録すること、開始日時３０２から予め設定された時間内に終了日時３０３を登録されなかった場合にホストシステム１１０が完了日時３０５を登録すること、終了日時３０３から予め設定された時間内に清算日時３０４を登録されなかった場合にホストシステム１１０が完了日時３０５を登録することにより、清算日時３０４が未登録で完了日時３０５が登録済みのため、その顧客が特典を受ける権利を失ったことが確定する。また、これによりタッチを忘れた顧客も特典を受ける権利を失う。
【００３９】
上記内容から、行列情報データベース１０７において、顧客ID３０１及び開始日時３０２のみが登録されている顧客は現在行列に並んでいることを示し、顧客ID３０１、開始日時３０２及び終了日時３０３のみが登録されている顧客は店舗内にいることを示し、顧客ID３０１、開始日時３０２及び完了日時３０３のみ登録されている顧客は行列を途中で抜けたことを示し、顧客ID３０１、開始日時３０２、終了日時３０３及び完了日時３０５のみが登録されている顧客は店舗には入ったが何も購入しないで店舗を出たことを示すこととなる。さらに、終了日時３０３から開始日時３０２を減算した値はその顧客が行列に並んでいた時間を示し、清算日時３０４から終了日時３０３を減算した値はその顧客が店舗内にいた時間を示す。
【００４０】
例えば顧客ID「0500300132」を割り当てられている顧客が、行列情報管理システムを利用したポイント付与システムを導入しているレストランに来店し、「2014年02月18日10時12分20秒」から行列に並び始め、「2014年02月18日11時34分47秒」に店内に入店して空きテーブルに着席し、「2014年02月18日12時02分11秒」に食事を済ませて支払いを行い、「2014年02月18日12時02分12秒」にポイント付与システムへの通知が完了した場合、顧客ID３０１には「0500300132」、開始日時３０２には「2014年02月18日10時12分20秒」、終了日時３０３には「2014年02月18日11時34分47秒」、清算日時３０４には「2014年02月18日12時02分11秒」、完了日時３０５には「2014年02月18日12時02分12秒」が登録され、この顧客は行列に1時間22分27秒並んでおり、店舗内に28分24秒いたことを示す。
【００４１】
図４は、本発明の実施の形態の一例の概要を示すフローチャートである。来店した顧客は第１の入力端末１０３に自身が保有する情報端末装置１０２ａをタッチし（ステップ４０１）、行列の最後に並ぶ（ステップ４０２）。このとき、情報端末装置１０２ａはホストシステム１０１に対して、ネットワーク１０９を経由して現在の待ち状況を示す行列情報と、外部システム１０８が提供するサービスを示すサービス項目情報の取得要求を行う。この要求に応じて、情報端末装置１０２ａには、ホストシステム１０１から取得した行列情報とサービス項目情報から作成した図１０のようなメニュー画面が表示される（ステップ４０３）。外部システム１０８が提供するサービスを示すサービス項目情報は、予め外部システム１０８からホストシステム１０１に渡され、ホストシステム１０１が保存している。
【００４２】
顧客は行列に並んでいる間、メニューから外部サービス１０８が提供するサービスを利用する（ステップ４０４）。顧客が行列の先頭に到達し店内に入る際に（ステップ４０５）、第２の入力端末１０４に情報端末装置１０２ａをタッチする（ステップ４０６）。そして顧客は店内にて食事等の店舗が提供するサービスを利用し（ステップ４０７）、それを終えたら支払いを行う（ステップ４０８）。顧客は支払い後に第３の入力端末１０５にタッチし（ステップ４０９）、完了通知が外部システム１０８に送信されて処理が完了し、顧客に対する特典の付与が確定する。
【００４３】
図５は、第１の入力装置１０３に情報端末装置１０２ａがタッチされた際の処理概要を示すフローチャートである。第１の入力装置１０３はシステム起動後、情報端末装置１０２ａとの接続待ちの状態となる（ステップ５０１）。第１の入力装置１０３に情報端末装置１０２ａがタッチされると、第１の入力装置１０３は情報端末装置１０２ａから顧客IDを受信し、ホストシステム１０１に送信する（ステップ５０２）。ホストシステム１０１は現在日時を取得し（ステップ５０３）、ＤＢ更新部１０１ｂが行列情報データベース１０７に、顧客ID３０１、開始日時３０２を登録する（ステップ５０４）。その後、第１の入力端末１０３は接続待ちの状態に戻る。
【００４４】
図６は、第２の入力装置１０４に情報端末装置１０２ｂがタッチされた際の処理概要を示すフローチャートである。第２の入力装置１０４はシステム起動後、情報端末装置１０２ｂとの接続待ちの状態となる（ステップ６０１）。第２の入力装置１０４に情報端末装置１０２ｂがタッチされると、第２の入力装置１０４は情報端末装置１０２ｂから顧客IDを受信し、ホストシステム１０１に送信する（ステップ６０２）。ホストシステム１０１のＤＢ検索部１０１ａは受信した顧客IDで行列情報データベース１０７を検索し（ステップ６０３）、該当の顧客の情報が見つかった場合は開始日時３０２が登録済みかをチェックする（ステップ６０４）。開始日時３０２が登録されていない場合は何もしないで接続待ち状態に戻り、開始日時３０２が登録されている場合は、ホストシステム１０１は現在日時を取得し（ステップ６０５）、ＤＢ更新部１０１ｂが行列情報データベース１０７の該当情報の終了日時３０３を登録する（ステップ６０６）。その後、第２の入力端末１０４は接続待ちの状態に戻る。
【００４５】
図７は、第３の入力装置１０５に情報端末装置１０２ｃがタッチされた際の処理概要を示すフローチャートである。第３の入力装置１０５はシステム起動後、情報端末装置１０２ｃとの接続待ちの状態となる（ステップ７０１）。第３の入力装置１０５に情報端末装置１０２ｃがタッチされると、第３の入力装置１０５は情報端末装置１０２ｃから顧客IDを受信し、ホストシステム１０１に送信する（ステップ７０２）。ホストシステム１０１のＤＢ検索部１０１ａは受信した顧客IDで行列情報データベース１０７を検索し（ステップ７０３）、該当の顧客の情報が見つかった場合は開始日時３０２と終了日時３０３が登録済みかをチェックする（ステップ７０４、ステップ７０５）。開始日時と終了日時が登録されていない場合は何もしないで接続待ち状態に戻り、開始日時と終了日時が登録されている場合は、ホストシステム１０１は現在日時を取得し（ステップ７０６）、ＤＢ更新部１０１ｂが行列情報データベース１０７の該当情報の清算日時３０４を登録する（ステップ７０７）。
【００４６】
次に外部システム連携部１０１ｃが外部システム１０８に対して清算完了を通知し（ステップ７０８）、それが完了したらホストシステム１０１は現在時刻を取得して（ステップ７０９）、ＤＢ更新１０１ｂが顧客情報データベース１０７の該当情報の完了日時を登録する（ステップ７１０）。その後、入力端末１０５は接続待ち状態に戻る。
【００４７】
図８は、情報端末装置１０２ａ、１０２ｂ、１０２ｃのシステム構成図の一例であり、データ処理部８０１、近距離無線通信部８０２、インターネット通信部８０３、表示部８０４、入力部８０５から構成され、例えば情報処理端末１０２ａ、１０２ｂ、１０２ｃがスマートフォンの場合は、表示部８０４、入力部８０５がタッチパネルとなる。データ処理部８０１は、近距離無線通信部８０２、インターネット通信部８０３、表示部８０４、入力部８０５の間でのデータの解析や受け渡しを行う。近距離無線通信部８０２は、入力装置１０３、１０４、１０５と接続し、入力装置１０３、１０４、１０５にデータ処理部８０１から渡された顧客IDを送信する。
【００４８】
インターネット通信部は、インターネット通信を介してホストシステム１０１や外部システム１０８と接続し、ホストシステム１０１や外部システム１０８からデータを受信し、データ処理部８０１に渡す。表示部８０４は、インターネット通信を介してホストシステム１０１や画面システム１０８からインターネット通信部が受信したデータから作成した画面を表示する。入力部８０５は、顧客が選択したボタン等の入力情報をデータ処理部８０１に通知し、データ処理部８０１はインターネット通信部を解してホストシステム１０１や外部システム１０８に顧客の入力に対応した要求を発行する。
【００４９】
図９は、情報端末装置１０２ａ、１０２ｂ、１０２ｃが入力装置１０３、１０４、１０５と接続した時の処理のを示すフローチャートである。情報端末装置１０２ａ、１０２ｂ、１０２ｃは、起動後、入力装置１０３、１０４、１０５との接続を待機する状態となる（ステップ９０１）。情報端末装置１０２ａ、１０２ｂ、１０２ｃは、起動後、入力装置１０３、１０４、１０５との接続すると、データ処理部８０１は顧客IDを近距離通信部８０２を介して、入力装置１０３、１０４、１０５に送信する（ステップ９０２）。情報端末装置１０２ａ、１０２ｂ、１０２ｃが接続した相手を判定し（ステップ９０３）、接続相手が第２または第３の入力装置１０４、１０５の場合は、再び接続待ちの状態に戻る。
【００５０】
接続相手が第１の入力装置１０３の場合は、インターネット通信部８０２を介してホストシステム１０１にメニュー画面の画面データの受信を要求する（ステップ９０４）。データ処理部８０１は、インターネット通信部８０２からメニュー画面用のデータを受け取ると（ステップ９０５）、そのデータを解析し表示部８０４に図１０のような画面を表示する（ステップ９０６）。ここまでの処理を完了すると、情報端末装置１０２ａ、１０２ｂ、１０２ｃは再び接続待ちの状態に戻る。
【００５１】
図１０は、情報端末装置１０２ａ、１０２ｂ、１０２ｃの表示部８０４に表示されるメニュー画面の一例を示す。この画面は、情報端末装置１０２ａ、１０２ｂ、１０２ｃがホストシステム１０１からネットワーク１０９を経由して取得した、行列情報及び外部システムが提供するサービスの情報を基に作成される。順番や回数といった行列に関する情報は行列情報データベース１０７から取得した行列情報を使用し、メニュー画面にある「ポイント抽選」、「提携店舗割引券」、「店舗情報」といった項目は外部システムが提供するサービスを示す。１又は複数の外部システムが提供するサービスを示すサービス項目情報は、予め、各外部システムからホストシステムに渡され、ホストシステムが保存している。
【００５２】
顧客が、表示されたメニュー画面のサービス項目から所望するサービスを選択する入力操作を行うと、情報端末装置１０２ａ、１０２ｂ、１０２ｃから外部システム１０８に対して、選択されたサービスの要求が送信される。
【００５３】
図１１は、ホストシステム１１０１が外部システムとしてポイント抽選システム１１０８と接続した例のシステム構成図である。ポイント抽選システム１１０８は、予め設定された時間毎にネットワーク１１１０を介してホストシステム１１０１から行列に並んでいる顧客の顧客IDを取得し、取得した顧客IDの数と予め設定された当選確率から当選者の数を算出し、行列に並んでいる顧客の中から当選者を抽選する。抽選結果は、顧客が保有する情報端末装置１１０２ａに送信され、ポイント抽選システム１１０８内に一時的に保存される。顧客が支払いを済ませたことが外部システム連携部１１０１ｃからポイント抽選システム１１０８に通知されると、ポイント抽選システム１１０８は抽選結果をポイント管理システム１１０９に送信し、ポイント管理システム１１０９はその顧客のポイントを追加する。
【００５４】
図１２は、ホストシステム１２０１が外部システムとして店舗情報配信システム１２０８と接続した例のシステム構成図である。店舗情報配信システム１２０８には店舗の店員によって入力された、メニュー、売り上げランキング、おすすめ商品、割引情報、店舗内の状況などの情報がリアルタイムに格納される。店舗情報配信システム１２０８は、これらの情報を行列に並んでいる顧客が保有する情報端末装置１１０２ａに配信することにより、行列に並んでいる顧客のみがその情報を知り、活用することができる。
【００５５】
図１３は、ホストシステム１３０１が外部システムとして割引券配布システム１３０８と接続した例のシステム構成図である。割引券配布システム１３０８は、ホストシステム１３０１から行列に並んでいる顧客の顧客IDを取得し、その顧客が提携店舗で行列に並んだ情報を当該店舗のホストシステム１３０１や他の提携店舗のホストシステム１３１１から取得する。取得した情報に基づいて、顧客が各提携店舗で行列に並んだ実績を合算する。その結果、該当顧客が何れかの提携店舗の行列に規定時間以上並んだ回数が予め設定された回数に達した場合に、提携店舗で利用可能な割引券を、顧客が保有する情報端末装置１３０２ａに配布する。
【００５６】
以上のように、本実施の行列情報管理システムによれば、次のような効果がある。
（１）ホストシステムが行列情報を外部システムに提供するため、行列に並んでいる顧客に限定して、店舗や店舗が提携する外部サービスが顧客に対して様々な価値あるサービスを提供することができる。
（２）入力装置への情報端末装置のタッチという簡易な操作のみで、顧客が行列に並んでいる時間や回数等の情報を取得でき、店舗は特定顧客の店舗利用状況の分析や、混雑状況の分析し、顧客へのサービス向上に役立てることができる。
（３）ホストシステムが行列情報を外部サービスに提供することにより、複数の店舗間で共通するサービスを顧客に提供できる。
（４）ホストシステムは顧客が支払いを行った日時を行列情報に記録するため、特典目的の不正を排除することができる。
【符号の説明】
【００５７】
１０１…ホストシステム、１０１ａ…ＤＢ検索部、１０１ｂ…ＤＢ更新部、１０１ｃ…外部システム連携部、１０１ｄ…情報端末送受信部、１０２ａ，１０２ｂ，１０２ｃ…情報端末装置、１０３…行列開始日時検出用入力装置、１０４…行列終了日時検出用入力装置、１０５…清算日時検出用入力装置、１０６…顧客情報データベース、１０７…行列情報データベース、１０８…外部システム、１０９…ネットワーク、１１０…基地局、１１１…入力端末。
【図１】
2015187800.tif 000003
【図２】
2015187800.tif 000004
【図３】
2015187800.tif 000005
【図４】
2015187800.tif 000006
【図５】
2015187800.tif 000007
【図６】
2015187800.tif 000008
【図７】
2015187800.tif 000009
【図８】
2015187800.tif 000010
【図９】
2015187800.tif 000011
【図１０】
2015187800.tif 000012
【図１１】
2015187800.tif 000013
【図１２】
2015187800.tif 000014
【図１３】
2015187800.tif 000015
【図１４】
2015187800.tif 000016